(57)【要約】【課題】複数のパンチ部を有する打ち抜き用雄型でプレス材の複数箇所を一度に打ち抜く場合でも、打ち抜き荷重の反力を分散させることにより、装置コストの増大を抑制しつつ良好な打ち抜き成形を行うことができるプレス加工装置における打ち抜き用雄型を提供する。【解決手段】プレス材からロータ用鉄心板の軸孔や周辺孔等の複数箇所を同時に打ち抜きするパンチ１８Ａには複数のパンチ部４２，４３，４４が基板部４１上に突出形成されている。中央部に軸孔用パンチ部４２が形成されると共に、その外周側に、複数の周辺孔用パンチ部４３と、複数の磁石挿入孔用パンチ部４４が、それぞれ周方向へ一定間隔をおいた円環状配置となるように形成されている。そして、各パンチ部４２，４３，４４は、軸孔用パンチ部４２→周辺孔用パンチ部４３→磁石挿入孔用パンチ部４４の順で突出高さが低くなるように形成されている。【選択図】      図３
2005081413.tif 000002
【特許請求の範囲】
【請求項１】
打ち抜き用雌型と対応配置される打ち抜き用雄型であって、打ち抜き用雌型との間に配置されたプレス材における複数箇所を打ち抜き荷重に基づき打ち抜き可能な複数のパンチ部を備え、当該各パンチ部のうち少なくとも一部のパンチ部については、他のパンチ部との対比において、打ち抜き方向に沿う平面で切った場合の断面形状が相違するようにしたプレス加工装置における打ち抜き用雄型。
【請求項２】
前記各パンチ部のうち少なくとも一部のパンチ部は、他のパンチ部との対比において、打ち抜き方向への突出高さが相違している請求項１に記載のプレス加工装置における打ち抜き用雄型。
【請求項３】
前記各パンチ部のうち少なくとも一部のパンチ部は、他のパンチ部との対比において、打ち抜き時にプレス材に当接する先端部の形状が相違している請求項１又は請求項２に記載のプレス加工装置における打ち抜き用雄型。
【請求項４】
前記各パンチ部は、中央に位置する中央パンチ部と、当該中央パンチ部の外周側で周方向へ一定間隔をおいた円環状配置となるように位置する複数の周辺パンチ部とを含んで構成されている請求項１〜請求項３のうち何れか一項に記載のプレス加工装置における打ち抜き用雄型。
【請求項５】
前記各周辺パンチ部は、前記中央パンチ部を中心にした場合に点対称の配置となる周辺パンチ部同士が同一形状に形成されている請求項１〜請求項４のうち何れか一項に記載のプレス加工装置における打ち抜き用雄型。
【発明の詳細な説明】
【技術分野】
【０００１】
本発明は、プレス加工装置において打ち抜き用雌型と対応配置される打ち抜き用雄型に関するものである。
【背景技術】
【０００２】
一般に、この種の打ち抜き用雄型（以下、「パンチ」ともいう。）は、プレス加工装置における上型（可動型）側に取付固定され、当該上型の直下に位置する下型（固定型）側に取付固定された打ち抜き用雌型（以下、「ダイ」ともいう。）と相互の中心軸線が一致するように対応配置される。そして、上型側のパンチと下型側のダイとの間にシート状のプレス材（例えば、鋼板シート）を停止させた状態において、上型と下型とが上下方向へ相対移動することにより、所定形状の成形品を打ち抜き成形するようになっている。このような打ち抜き成形技術に関して、例えば特許文献１には、プレス加工装置の一種である順送りプレス加工装置によってモータ用積層鉄心における鉄心板（単層）を打ち抜き成形する場合の技術的事項が開示されている。
【０００３】
即ち、この特許文献１の順送りプレス加工装置では、ロータコア用の鉄心板とステータコア用の鉄心板とが、シート状のプレス材（鋼板シート）を順送りする途中で、ロータ用パンチとロータ用ダイ及びステータ用パンチとステータ用ダイにより、それぞれ打ち抜き成形される。そして、ロータコア用の鉄心板を打ち抜き成形する場合には、当該鉄心板の外径を所定の加工ユニットで打ち抜く前に、当該加工ユニットよりも上流側の別の加工ユニットで磁石挿入孔や軸孔等の複数箇所を一つの打ち抜き用雄型（ロータ用パンチ）にて事前に打ち抜くようにしている。即ち、前記一つの打ち抜き用雄型（ロータ用パンチ）には、前記磁石挿入孔や軸孔等の各開口形状に個別対応した断面形状をなす複数本のパンチ部が所定の突出高さで立設されており、打ち抜き時には各パンチ部の先端が前記プレス材における複数箇所から複数のスクラップ片を打ち抜くようになっていた。
【特許文献１】特開平１０−４６５６号公報（段落番号［００２２］、図２）
【発明の開示】
【発明が解決しようとする課題】
【０００４】
ところが、前記打ち抜き用雄型（ロータ用パンチ）によって前記磁石挿入孔や軸孔等の複数箇所を打ち抜く場合、その打ち抜き時には、各パンチ部の先端が前記プレス材（鋼板シート）における複数箇所（多数の当接点）へ同時に押圧接触することになる。そのため、打ち抜き時における打ち抜き荷重（例えば２５トン）が各パンチ部を介して前記打ち抜き用雄型（ロータ用パンチ）を支持するプレス加工装置側へ反力として一挙にかかることになり、かかる反力に対処し得る剛性を打ち抜き用雄型（ロータ用パンチ）の支持構造及びプレス加工装置自体に確保しておく必要があった。従って、そのような剛性確保のためには、前記打ち抜き用雄型（ロータ用パンチ）の支持構造が複雑化したり、プレス加工装置自体が大型化したりするため、装置コストが増大するという問題があった。
【０００５】
本発明は、このような事情に鑑みなされたものであり、その目的は、複数のパンチ部を有する打ち抜き用雄型でプレス材の複数箇所を一度に打ち抜く場合でも、打ち抜き荷重の反力を分散させることにより、装置コストの増大を抑制しつつ良好な打ち抜き成形を行うことができるプレス加工装置における打ち抜き用雄型を提供することにある。
【課題を解決するための手段】
【０００６】
上記目的を達成するために、プレス加工装置における打ち抜き用雄型に係る請求項１に記載の発明は、打ち抜き用雌型と対応配置される打ち抜き用雄型であって、打ち抜き用雌型との間に配置されたプレス材における複数箇所を打ち抜き荷重に基づき打ち抜き可能な複数のパンチ部を備え、当該各パンチ部のうち少なくとも一部のパンチ部については、他のパンチ部との対比において、打ち抜き方向に沿う平面で切った場合の断面形状が相違するようにしたことを要旨とする。
【０００７】
また、請求項２に記載の発明は、請求項１に記載のプレス加工装置における打ち抜き用雄型において、前記各パンチ部のうち少なくとも一部のパンチ部は、他のパンチ部との対比において、打ち抜き方向への突出高さが相違していることを要旨とする。
【０００８】
また、請求項３に記載の発明は、請求項１又は請求項２に記載のプレス加工装置における打ち抜き用雄型において、前記各パンチ部のうち少なくとも一部のパンチ部は、他のパンチ部との対比において、打ち抜き時にプレス材に当接する先端部の形状が相違していることを要旨とする。
【０００９】
また、請求項４に記載の発明は、請求項１〜請求項３のうち何れか一項に記載のプレス加工装置における打ち抜き用雄型において、前記各パンチ部は、中央に位置する中央パンチ部と、当該中央パンチ部の外周側で周方向へ一定間隔をおいた円環状配置となるように位置する複数の周辺パンチ部とを含んで構成されていることを要旨とする。
【００１０】
また、請求項５に記載の発明は、請求項１〜請求項４のうち何れか一項に記載のプレス加工装置における打ち抜き用雄型において、前記各周辺パンチ部は、前記中央パンチ部を中心にした場合に点対称の配置となる周辺パンチ部同士が同一形状に形成されていることを要旨とする。
【発明の効果】
【００１１】
本発明によれば、複数のパンチ部を有する打ち抜き用雄型でプレス材の複数箇所を一度に打ち抜く場合でも、打ち抜き荷重の反力を分散させることにより、装置コストの増大を抑制しつつ良好な打ち抜き成形を行うことができる。
【発明を実施するための最良の形態】
【００１２】
以下、本発明を、ロータ用鉄心板を打ち抜き成形する際に用いられるプレス加工装置の打ち抜き用雄型に具体化した一実施形態を図１〜図５に従って説明する。
図１に示すように、本実施形態のプレス加工装置１１は、順送りプレス加工装置として構成され、ベースプレート１２上に複数（図１には４つを図示）の加工ユニット１３Ａ，１３Ｂ，１３Ｃ，１３Ｄが所定方向（図１では左右方向）へ並設されている。前記各加工ユニット１３Ａ〜１３Ｄは、基本的に略同一構造をなしており、下型１４が前記ベースプレート１２上に支持されると共に、下型１４上にダイ（打ち抜き用雌型）１５（１５Ａ，１５Ｂ，１５Ｃ，１５Ｄ）が取付固定されている。また、前記下型１４上の四隅には柱状のコラム１６が立設され、各コラム１６を介して上型１７が下型１４の上方域で上下移動可能に支持されている。そして、上型１７の下面側には前記ダイ１５と雌雄関係を有するパンチ（打ち抜き用雄型）１８（１８Ａ，１８Ｂ，１８Ｃ，１８Ｄ）が取付固定されている。
【００１３】
前記順送りプレス加工装置１１の稼働時には、シート状のプレス材１９が、前記各パンチ１８（１８Ａ〜１８Ｄ）とダイ１５（１５Ａ〜１５Ｄ）との間に配置され、前記各加工ユニット１３Ａ〜１３Ｄ間を上流側から下流側（図１では左側から右側）へ間欠的に順送りされる。前記プレス材１９は、例えば厚さが約０．３ｍｍに冷間圧延された鋼板シートであって、前記順送りプレス加工装置１１の各加工ユニット１３Ａ〜１３Ｄ毎に、当該加工ユニット１３Ａ〜１３Ｄで分担する所定の打ち抜き箇所が前記パンチ１８とダイ１５により打ち抜き加工されるようになっている。そのため、前記各加工ユニット１３Ａ〜１３Ｄに装備される各パンチ１８（１８Ａ〜１８Ｄ）及び各ダイ１５（１５Ａ〜１５Ｄ）は、それぞれの加工ユニット１３Ａ〜１３Ｄにおける前記プレス材１９からの打ち抜き箇所に対応した形状に刃部（図示略）が形成されている。
【００１４】
図２は、前記プレス材１９に対する各加工ユニット１３Ａ〜１３Ｄでの打ち抜きレイアウトを打ち抜き工程順（つまり、加工ユニット１３Ａ→１３Ｂ→１３Ｃ→１３Ｄの順）に示したものである。同図からも理解されるように、前記プレス材１９の幅方向の両側縁には長さ方向へ一定の間隔をおいて複数のパイロット孔２０が穿孔されている。これらの各パイロット孔２０は、通常、前記プレス材１９に対する最初の打ち抜き工程で穿孔されるものであり、本実施形態では図１において最も左側（上流側）の加工ユニット１３Ａよりも更に上流側に位置する所定の加工ユニット（図示略）で穿孔される。そして、プレス材１９は、各ダイ１５（１５Ａ〜１５Ｄ）から上方へ僅かに浮き上がった状態にて間欠的に順送りされ、打ち抜き加工時には前記浮き上がった状態から下降されて、各加工ユニット１３Ａ〜１３Ｄの下型１４に設けられたパイロットピン（図１では図示略）にパイロット孔２０を係合させるようになっている。従って、前記プレス材１９は、前記パイロットピンにパイロット孔２０が係合することにより位置決め停止状態となり、その停止状態において所要の打ち抜き加工が行われる。
【００１５】
そこで次に、上記のように構成された順送りプレス加工装置１１の各加工ユニット１３Ａ〜１３Ｄで行われる打ち抜き加工の内容を図２を参照しながら工程順に説明する。
さて、図２に示す４つの工程Ｓ１〜工程Ｓ４のうち、工程Ｓ１と工程Ｓ２はロータ用鉄心板（工程Ｓ２に符号２５で示す）を打ち抜き加工する工程であり、工程Ｓ３と工程Ｓ４はステータ用鉄心板（工程Ｓ４に符号３３で示す）を打ち抜き加工する工程である。まず、加工ユニット１３Ａにおける工程Ｓ１では、前記パンチ１８Ａとダイ１５Ａにより、一つの軸孔２１と複数の周辺孔２２及び複数の磁石挿入孔２３が打ち抜き加工される。この工程Ｓ１での打ち抜き加工が終了すると、プレス材１９は再び浮き上がり状態となり、パイロット孔２０がパイロットピンに対して非係合の状態となるため、順送り方向（下流側方向）への移動が許容され、プレス材１９は前記軸孔２１等を打ち抜き加工された箇所が次の加工ユニット１３Ｂ内に位置するように移動する。すると次に、加工ユニット１３Ｂにおける工程Ｓ２では、前記パンチ１８Ｂとダイ１５Ｂにより、前記各磁石挿入孔２３の外側にロータ用鉄心板２５の外径を規定する円孔２４が打ち抜き加工される。従って、この工程Ｓ２における円孔２４の打ち抜きによりロータ用鉄心板２５が打ち抜き成形され、当該ロータ用鉄心板２５は図示しない取り出し口を介して積層状態で回収される。
【００１６】
一方、工程Ｓ２でロータ用鉄心板２５を打ち抜きされたプレス材１９は再び浮き上がり状態とされ、前記ロータ用鉄心板２５を打ち抜きされた箇所が次の加工ユニット１３Ｃ内に位置するように移動する。すると次に、この加工ユニット１３Ｃにおける工程Ｓ３では、前記パンチ１８Ｃとダイ１５Ｃにより、ステータ用鉄心板３３の内径を規定する内周側円弧部２６と、内周側円弧部２６に沿う複数のスロット２７、ステータ用鉄心板３３の外径に沿う複数の円弧穴２８、及び所定の円弧穴２８同士の間に位置する複数のボルト穴２９が打ち抜き加工される。なお、前記内周側円弧部２６は、ステータ用鉄心板３３の内径を規定するものであるため、前記ロータ用鉄心板２５の外径を規定する円孔２４よりも僅かに大径とされる。即ち、ステータ用鉄心板３３及びロータ用鉄心板２５がそれぞれ積層鉄心（固定子及び回転子）とされてモータに組み付けられた場合に必要とされるエアギャップに相当する分だけ大径とされる。また、前記各円弧穴２８は同心円上に離間して位置するように打ち抜きされ、それらの内周縁はステータ用鉄心板３３の外径を規定する外周側円弧部２８ａになる。
【００１７】
そして、この工程Ｓ３での打ち抜き加工が終了すると、プレス材１９は再び浮き上がり状態とされ、前記円弧穴２８等を打ち抜きされた箇所が次の加工ユニット１３Ｄ内に位置するように移動する。すると次に、この加工ユニット１３Ｄにおける工程Ｓ４では、前記パンチ１８Ｄとダイ１５Ｄにより、前記各円弧穴２８の内周縁（即ち、ステータ用鉄心板３３の外径を規定する外周側円弧部２８ａ）の間を繋ぐように位置する耳部３０と溶接部３１が打ち抜き加工される。具体的には、前記ボルト穴２９が形成された箇所（本実施形態では３箇所）に耳部３０が打ち抜き加工され、それ以外の箇所（本実施形態では６箇所）に溶接部３１が打ち抜き加工される。そして、これら耳部３０と溶接部３１及び前記各円弧穴２８の内周縁である各外周側円弧部２８ａにより、ステータ用鉄心板３３の製品形状（打ち抜き成形される形状）を画定する外郭縁部３２が構成される。従って、この工程Ｓ４での外郭縁部３２の打ち抜きによりステータ用鉄心板３３が打ち抜き成形され、当該ステータ用鉄心板３３は図示しない取り出し口を介して積層状態で回収される。
【００１８】
次に、本実施形態において要部構成をなす前記加工ユニット１３Ａのパンチ（打ち抜き用雄型）１８Ａの具体的構造を説明する。
前述したように、この加工ユニット１３Ａのパンチ１８Ａはダイ１５Ａと協働して図２に示す各打ち抜きレイアウトのうち工程Ｓ１において示す打ち抜き箇所を打ち抜き加工するものであるが、その具体的な形状は図３に示すような形状をしている。即ち、図３は前記パンチ１８Ａを上型１７に取付固定される状態から裏返した状態を示してものであって、このパンチ１８Ａは、上型１７に取付固定される際に当該上型１７に当接する矩形板状の基板部４１を備えている。基板部４１上には、図３，図４に示すように、前記軸孔２１を打ち抜くための軸孔用パンチ部４２が中央部に突出形成され、その軸孔用パンチ部４２の外周側には、前記各周辺孔２２を打ち抜くための複数の周辺孔用パンチ部４３が周方向へ一定間隔をおいた円環状配置となるように突出形成されている。また、前記各周辺孔用パンチ部４３の更に外周側には、前記磁石挿入孔２３を打ち抜くための磁石挿入孔用パンチ部４４が同様に周方向へ一定間隔をおいた円環状配置となる位置に突出形成されている。そして、本実施形態では、前記軸孔用パンチ部４２により中央パンチ部が構成され、前記各周辺孔用パンチ部４３と前記各磁石挿入孔用パンチ部４４により周辺パンチ部が構成されている。
【００１９】
図５は、前記パンチ１８Ａの平面図である図４におけるＡ−Ａ線矢視の端面図である。この図５からも理解されるように、前記基板部４１上から突出形成された各パンチ部４２，４３，４４は、打ち抜き方向（図４では紙面と直交する方向、図５では上下方向）に沿う平面で切った場合の断面形状（図５に示す端面形状に相当するもの）が、軸孔用パンチ部４２と周辺孔用パンチ部４３及び磁石挿入孔用パンチ部４４で互いに相違している。具体的には、基板部４１上からの突出高さが相違しており、中央部の軸孔用パンチ部４２が最も高い突出高さとされ、最外周側に位置する各磁石挿入孔用パンチ部４４が最も低い突出高さとされている。そして、各周辺孔用パンチ部４３が、軸孔用パンチ部４２と各磁石挿入孔用パンチ部４４の中間の突出高さとなるように形成されている。なお、本実施形態におけるパンチ１８Ａの前記各パンチ部４２，４３，４４は、図３及び図５からも理解されるように、各先端部４２ａ，４３ａ，４４ａの端面が平坦面に形成されており、それらの端面縁は刃部となるべくエッジ（図示略）が切られている。また、複数ある各周辺孔用パンチ部４３同士は同一の突出高さとされ、同様に、複数ある各磁石挿入孔用パンチ部４４同士は同一の突出高さとされている。
【００２０】
そこで次に、上記のように構成された順送りプレス加工装置１１の作用について、特に加工ユニット１３Ａにおける工程Ｓ１でのパンチ１８Ａとダイ１５Ａによる打ち抜き加工時の作用を中心に説明する。
【００２１】
さて、前述したように、加工ユニット１３Ａよりも上流側の加工ユニットでパイロット孔２０が穿孔されたプレス材１９は、前記各ダイ１５（１５Ａ〜１５Ｄ）から僅かに浮き上がった状態で間欠的に順送りされ、所定ピッチ分を順送りされると、前記パイロット孔２０が各加工ユニット１３Ａ〜１３Ｄのパイロットピンと係合するように下降する。そして、加工ユニット１３Ａにおいては図２に示す打ち抜きレイアウトのうち工程Ｓ１での打ち抜き箇所がパンチ１８Ａとダイ１５Ａにより打ち抜きされる。即ち、図示しない油圧シリンダのストローク運動により上型１７が下動すると、当該上型１７の下面側に取付固定されたパンチ１８Ａも同様に下動し、前記各パンチ部４２，４３，４４が所定の打ち抜き荷重に基づきプレス材１９における複数箇所を打ち抜く。具体的には、軸孔用パンチ部４２が軸孔２１を打ち抜くと共に、周辺孔用パンチ部４３が周辺孔２２を打ち抜き、磁石挿入孔用パンチ部４４が磁石挿入孔２３を打ち抜く。
【００２２】
そして、その打ち抜きの際には、最も突出高さの高い軸孔用パンチ部４２がプレス材１９に当接した後、その次に突出高さが中間の突出高さの周辺孔用パンチ部４３がプレス材１９に当接し、最後に最も突出高さが低い磁石挿入孔用パンチ部４４がプレス材１９に当接する。即ち、各パンチ部４２，４３，４４は、それらの突出高さが相違する分だけ、僅かにプレス材１９に当接する（即ち、打ち抜き開始する）タイミングに時間差を持たせた状態で夫々の打ち抜き箇所（軸孔２１、周辺孔２２、磁石挿入孔２３）を打ち抜き加工する。そのため、加工ユニット１３Ａでの打ち抜き時における打ち抜き荷重（例えば２５トン）がプレス材１９にパンチ１８Ａが打ち抜き加工したことに基づく反力として一挙にプレス加工装置１１（加工ユニット１３Ａ）側へかかることがない。従って、打ち抜き加工時にそのような反力を前記パンチ１８Ａを介して受けることになるプレス加工装置１１（加工ユニット１３Ａ）側では、前記パンチ１８Ａの支持構造も簡単なもので対応でき、その結果、装置全体が複雑化したり大型化したりすることもない。
【００２３】
また、軸孔用パンチ部４２がプレス材１９に当接した後においては、周方向へ一定間隔をおいた円環状配置をなす各周辺孔用パンチ部４３がそれぞれ同時にプレス材１９に当接し、その後に、同じく周方向へ一定間隔をおいた円環状配置をなす各磁石挿入孔用パンチ部４４がそれぞれ同時にプレス材１９に当接する。そのため、各周辺孔用パンチ部４３及び各磁石挿入孔用パンチ部４４がプレス材１９に打ち抜き加工のため当接した際において打ち抜き荷重がプレス材１９に偏って加わることがない。従って、次の工程Ｓ２へ順送りされるプレス材１９に歪みが生じることもなく、当該次の工程Ｓ２でロータ用鉄心板２５の外径を規定する円孔２４が精度良く打ち抜き加工される。
【００２４】
従って、本実施形態によれば、以下のような効果を得ることができる。
（１）加工ユニット１３Ａの工程Ｓ１でプレス材１９における複数箇所を打ち抜き荷重に基づきパンチ１８Ａの各パンチ部４２，４３，４４で打ち抜き加工する際には、軸孔用パンチ部４２→周辺孔用パンチ部４３→磁石挿入孔用パンチ部４４の順で時間差をおいてプレス材１９に当接（打ち抜き開始）するようにした。そのため、前記打ち抜き荷重（例えば２５トン）が前記パンチ１８Ａを介して反力として一挙にプレス加工装置１１（加工ユニット１３Ａ）側へかかることがなく、プレス加工装置１１（加工ユニット１３Ａ）側では前記反力を受け止めるための剛性を不必要に大きく確保しなくて済む。従って、前記打ち抜き荷重の反力を時間的に分散して小さなものとできるため、パンチ１８Ａの支持構造も簡単なもので対応でき、その結果、装置全体が複雑化したり大型化したりすることもなく、装置コストの増大を抑制しつつ良好な打ち抜き成形を行うことができる。
【００２５】
（２）また、前記打ち抜き荷重の反力を時間的に分散させるための具体的構造がパンチ１８Ａにおける各パンチ部４２，４３，４４の突出高さを相違させることで実現しているため、打ち抜き用雄型としてのパンチ１８Ａの具体的構造自体も簡単なもので対応でき、その点でも装置コストの低減に寄与することができる。
【００２６】
（３）また、前記工程Ｓ１での打ち抜き加工時には、まず中央部の軸孔用パンチ部４２が当接（打ち込み開始）した後に各周辺パンチ部（周辺孔用パンチ部４３と磁石挿入孔用パンチ部４４）が当接（打ち込み開始）するようにしたため、安定した打ち抜き加工ができる。
【００２７】
（４）また、各周辺パンチ部（周辺孔用パンチ部４３と磁石挿入孔用パンチ部４４）については、周方向へ一定間隔をおいた円環状配置となる各周辺孔用パンチ部４３同士及び各磁石挿入孔用パンチ部４４同士は同一の突出高さとされているため、打ち抜き加工時にプレス材１９に偏った打ち抜き荷重をかけることがない。従って、次工程へ順送りされるプレス材１９に歪みが生じることもなく、当該次工程での打ち抜き加工を精度良く行うことができる。
【００２８】
なお、前記実施形態は以下のような別の実施形態（別例）に変更してもよい。
○  前記実施形態における図４のＡ−Ａ線矢視端面図に見立てた場合、図６に示すような端面図となるパンチ５０Ａにより打ち抜き用雄型を構成してもよい。即ち、図６に示すパンチ５０Ａは基板部５１上から軸孔用パンチ部５２と周辺孔用パンチ部５３及び磁石挿入孔用パンチ部５４が突出形成されている。そして、それらの各パンチ部５２，５３，５４は前記実施形態の場合と異なり同一の突出高さに形成されている。但し、図６からも理解されるように、各パンチ部５２，５３，５４の各先端部５２ａ，５３ａ，５４ａは端面が斜面形状をなすように形成されている。そして、その斜面角度が、軸孔用パンチ部５２→周辺孔用パンチ部５３→磁石挿入孔用パンチ部５４の順で鋭角になるように形成されている。そのため、この図６に示すパンチ５０Ａの場合は、打ち込み加工時において各パンチ部５２，５３，５４毎のプレス材１９に対する打ち込み開始（当接）時点から打ち込み終了時点までの時間、つまりプレス材１９に打ち込み荷重をかける時間に差がでるようにしている。従って、打ち込み荷重に対応した反力を受ける時間にも各パンチ部５２，５３，５４毎に差がでるため、前記実施形態のパンチ１８Ａと同様の作用効果を享受することができる。しかも、この図６に示すパンチ５０Ａの場合は各パンチ部５２，５３，５４の先端部５２ａ，５３ａ，５４ａが斜面構成であるため、より円滑に打ち抜き加工を行うことができる。
【００２９】
○  前記実施形態において各周辺孔用パンチ部４３同士、及び、各磁石挿入孔用パンチ部４４同士は、それぞれ同一の突出高さに形成されていたが、必ずしも全ての周辺孔用パンチ部４３同士、及び、全ての磁石挿入孔用パンチ部４４同士が同じ突出高さである必要はない。即ち、中央パンチ部を構成する軸孔用パンチ部４２を中心にした場合に点対称の配置となる周辺孔用パンチ部４３同士、及び、磁石挿入孔用パンチ部４４同士の突出高さが同一となるように形成されていればよい。このようにしても打ち込み荷重がプレス材１９に偏って加わることを防止できる。
【００３０】
○  前記実施形態においてパンチ１８Ａの各パンチ部４２，４３，４４は軸孔用パンチ部４２と周辺孔用パンチ部４３及び磁石挿入孔用パンチ部４４以外のパンチ部を含んでいてもよい。また、複数箇所を打ち抜き可能に複数のパンチ部を有するものであれば、打ち抜き箇所の形状に対応して各パンチ部の配置構成及び数量並びにパンチ部の種類は任意に変更可能である。
【００３１】
○  前記実施形態において、パンチ１８Ａの各パンチ部４２，４３，４４については、一部のパンチ部の先端部が平坦な端面に形成され、その他のパンチ部の先端部が斜面形状の端面に形成されたものであってもよい。
【００３２】
○  前記実施形態において、パンチ１８Ａの各パンチ部４２，４３，４４については、それぞれの突出高さが、軸孔用パンチ部４２→周辺孔用パンチ部４３→磁石挿入孔用パンチ部４４の順で、前記実施形態の場合と逆に高くなるように構成してもよい。
【００３３】
○  前記実施形態では、加工ユニット１３Ａの工程Ｓ１においてロータ用鉄心板２５の軸孔２１と周辺孔２２及び磁石挿入孔２３という複数箇所を打ち抜くためのパンチ１８Ａに具体化したが、例えば加工ユニット１３Ｃの工程Ｓ３でステータ用鉄心板３３の内周側円弧部２６や複数の円弧穴２８等を打ち抜くパンチ１８Ｃに具体化してもよい。
【図面の簡単な説明】
【００３４】
【図１】本実施形態の順送りプレス加工装置の概略正面図。
【図２】プレス材からの打ち抜き箇所を工程順に示す打ち抜きレイアウト図。
【図３】本実施形態に係るパンチ（打ち込み用雄型）の斜視図。
【図４】同じくパンチ（打ち込み用雄型）の平面図。
【図５】図４のＡ−Ａ線矢視端面図。
【図６】別の実施形態の（打ち込み用雄型）の一部破断端面図。
【符号の説明】
【００３５】
１１…順送りプレス加工装置（プレス加工装置）、１５（１５Ａ〜１５Ｄ）…ダイ（打ち込み用雌型）、１８（１８Ａ〜１８Ｄ），５０Ａ…パンチ（打ち込み用雄型）、１９…プレス材、４２，５２…軸孔用パンチ部（中央パンチ部）、４３，５３…周辺孔用パンチ部（周辺パンチ部）、４４，５４…磁石挿入孔用パンチ部（周辺パンチ部）、４２ａ，４３ａ，４４ａ，５２ａ，５３ａ，５４ａ…先端部。
【図１】
2005081413.tif 000003
【図２】
2005081413.tif 000004
【図３】
2005081413.tif 000005
【図４】
2005081413.tif 000006
【図５】
2005081413.tif 000007
【図６】
2005081413.tif 000008